(57)【要約】【課題】定着部材に蓄えられた熱を有効活用することが可能な画像形成装置を提供する。【解決手段】定着部材２１と、定着部材２１に当接してニップ部を形成する対向部材２２と、定着部材２１を加熱する加熱手段２３とを備え、加熱手段２３が、記録媒体上に形成される画像情報に基づいて、記録媒体上の加熱範囲を変更可能に構成された定着装置を備える画像形成装置において、定着部材２１上の蓄熱パターンに対応した位置Ｆに、記録媒体Ｐ２上の画像領域Ｇ２を配置するように制御する。【選択図】図９
2014153505.tif 000002
【特許請求の範囲】
【請求項１】
定着部材と、前記定着部材に当接してニップ部を形成する対向部材と、前記定着部材を加熱する加熱手段とを備え、
前記加熱手段が、記録媒体上に形成される画像情報に基づいて、記録媒体上の加熱範囲を変更可能に構成された定着装置を備える画像形成装置において、
前記定着部材上の蓄熱パターンに対応した位置に、記録媒体上の画像領域を配置するように制御することを特徴とする画像形成装置。
【請求項２】
前記加熱手段は、記録媒体の幅方向に並んで配設されると共に、互いに独立して発熱可能な複数の発熱体を有し、
前記各発熱体の発熱履歴に基づいて、前記定着部材上の蓄熱パターンを把握するように構成した請求項１に記載の画像形成装置。
【請求項３】
形成される画像情報に基づいて、前記定着部材上の蓄熱パターンを把握するように構成した請求項１に記載の画像形成装置。
【請求項４】
前記定着部材の表面温度を検知して、前記定着部材上の蓄熱パターンを把握するように構成した請求項１に記載の画像形成装置。
【請求項５】
記録媒体上の画像領域を記録媒体の搬送方向と幅方向の少なくとも一方に移動させて、当該画像領域が前記定着部材上の蓄熱パターンに対応した位置に配置されるように制御する請求項１から４のいずれか１項に記載の画像形成装置。
【請求項６】
記録媒体上の画像領域を記録媒体の中央を通って垂直な軸回りに１８０°反転させて、当該画像領域が前記定着部材上の蓄熱パターンに対応した位置に配置されるように制御する請求項１から４のいずれか１項に記載の画像形成装置。
【請求項７】
記録媒体の縦と横の向きを変更して記録媒体を供給すると共に、画像領域を記録媒体の中央を通って垂直な軸回りに９０°回転させて、当該画像領域が前記定着部材上の蓄熱パターンに対応した位置に配置されるように制御する請求項１から４のいずれか１項に記載の画像形成装置。
【請求項８】
前記記録媒体の縦と横の向きの変更及び前記軸回りの画像領域の９０°回転は、記録媒体収容器内の記録媒体が無くなったタイミングとは異なるタイミングで実行可能である請求項７に記載の定着装置。
【請求項９】
前記定着装置へ記録媒体を供給するタイミングを変更して、記録媒体上の画像領域が前記定着部材上の蓄熱パターンに対応した位置に配置されるように制御する請求項１から４のいずれか１項に記載の画像形成装置。
【発明の詳細な説明】
【技術分野】
【０００１】
本発明は、記録媒体に画像を定着する定着装置を備える画像形成装置に関する。
【背景技術】
【０００２】
一般的に、電子写真方式等の画像形成装置においては、記録媒体としての用紙にトナー画像を定着させる定着装置が設けられている。定着装置は、加熱手段によって加熱される定着部材と、この定着部材に当接する対向部材とを有し、定着部材と対向部材との当接により形成されたニップ部を用紙が通過することにより、その用紙上のトナーが加熱溶融されて定着される。
【０００３】
定着部材は、基本的に、加熱手段によって通紙幅全体に渡って加熱されるように構成されており、これによって用紙全体が加熱される。しかしながら、画像が用紙の一部の領域にしか存在しない場合は、画像の存在しない非画像領域において、熱エネルギーが無駄に消費されることになる。
【０００４】
そこで、非画像領域への無駄な熱エネルギー消費を削減するため、例えば、特許文献１〜３などに、記録媒体上の画像に応じて加熱領域を変更し、定着に必要な部分は加熱するが、定着に必要ない部分は加熱しないように構成した定着装置が提案されている。
【発明の概要】
【発明が解決しようとする課題】
【０００５】
上記のような、画像情報に応じて加熱範囲を変更する定着装置において、先に定着処理される用紙と後に定着処理される用紙とのそれぞれの画像領域が異なる位置にある場合、先の定着処理と後の定着処理とでは、定着部材の加熱される部分が異なる。従って、この場合、先の定着処理のために加熱された部分に熱が残っていたとしても、その熱は、後の定着処理の際にほとんど使用されないまま放熱されることになるため、熱エネルギーの無駄になってしまう。
【０００６】
本発明は、斯かる事情に鑑み、定着部材に蓄えられた熱を有効活用することが可能な画像形成装置を提供しようとするものである。
【課題を解決するための手段】
【０００７】
上記課題を解決するため、本発明は、定着部材と、前記定着部材に当接してニップ部を形成する対向部材と、前記定着部材を加熱する加熱手段とを備え、前記加熱手段が、記録媒体上に形成される画像情報に基づいて、記録媒体上の加熱範囲を変更可能に構成された定着装置を備える画像形成装置において、前記定着部材上の蓄熱パターンに対応した位置に、記録媒体上の画像領域を配置するように制御することを特徴とする。
【発明の効果】
【０００８】
本発明によれば、記録媒体上の画像領域を、定着部材上の蓄熱パターンに対応した位置に配置することにより、定着部材に蓄えられた熱を後の記録媒体の定着処理に有効活用することができる。これにより、後の記録媒体の定着処理のために新たに与える熱量を低減することができるようになり、消費エネルギーを削減することができる。
【図面の簡単な説明】
【０００９】
【図１】本発明を適用可能な画像形成装置の実施の一形態を示す概略構成図である。
【図２】定着装置の基本構成を示す断面図である。
【図３】定着装置の要部斜視図である。
【図４】画像形成パターンを示す平面図である。
【図５】通紙時のヒータの出力と定着ベルトの温度変化を示す図である。
【図６】定着ベルトの加熱部がニップ部を通過する前の蓄熱状態を示す図である。
【図７】定着ベルトの加熱部がニップ部を通過した後の蓄熱状態を示す図である。
【図８】本発明の第１実施形態の構成を示す図である。
【図９】本発明の第１実施形態に係る定着方法を示す図である。
【図１０】本発明の第２実施形態の構成を示す図である。
【図１１】本発明の第２実施形態に係る定着方法を示す図である。
【図１２】本発明の第３実施形態に係る定着方法を示す図である。
【図１３】本発明の第４実施形態に係る定着方法を示す図である。
【図１４】本発明を適用可能な他の定着装置の構成を示す断面図である。
【図１５】本発明を適用可能な他の画像形成装置の概略構成図である。
【発明を実施するための形態】
【００１０】
以下、添付の図面に基づき、本発明の実施の形態について説明する。なお、本発明の実施の形態を説明するための各図面において、同一の機能もしくは形状を有する部材や構成部品等の構成要素については、判別が可能な限り同一符号を付すことにより一度説明した後ではその説明を省略する。
【００１１】
図１は、本発明の実施の一形態に係る画像形成装置の概略構成図である。
図１に示す画像形成装置は、モノクロ画像形成装置であり、その装置本体１の中央には、像担持体としての感光体２が配設されている。感光体２の周囲には、帯電手段としての帯電ローラ３と、露光手段を構成する光源４及びミラー５と、現像ローラ６を備える現像手段７と、転写手段８と、クリーニングブレード９を備えるクリーニング手段１０等が配設されている。
【００１２】
また、装置本体１には、記録媒体としての用紙Ｐを収容した給紙トレイ１１と、給紙トレイ１１から用紙Ｐを搬出する給紙ローラ１２と、タイミングローラとしての一対のレジストローラ１３と、用紙Ｐに画像を定着する定着装置１４と、用紙Ｐを装置外に排出する排紙ローラ１５とが設けられている。なお、記録媒体には、普通紙以外に、厚紙、はがき、封筒、薄紙、塗工紙（コート紙やアート紙等）、トレーシングペーパ、ＯＨＰシート等が含まれる。また、図示しないが、手差し給紙機構が設けてあってもよい。
【００１３】
続いて、図１を参照して、本実施形態に係る画像形成装置の基本的動作について説明する。
作像動作が開始されると、感光体２が図示しない駆動装置によって図の時計回りに回転駆動され、感光体２の表面が帯電ローラ３によって所定の極性に一様に帯電される。次いで、図示しない読取装置やコンピュータ等からの画像情報に基づいて、光源４から照射された露光光Ｌがミラー５を介して走査され、感光体２の帯電面に照射される。これにより、感光体２の表面に静電潜像が形成される。この静電潜像に対し、現像ローラ６からトナーが供給されることにより、静電潜像がトナー画像として顕像化（可視像化）される。
【００１４】
また、作像動作が開始されると、給紙ローラ１２が回転駆動を開始し、給紙トレイ１１から用紙Ｐが１枚ずつ分離して送り出される。送り出された用紙Ｐは、レジストローラ１３によって搬送が一旦停止され、姿勢のずれが矯正される。その後、レジストローラ１３を感光体２の回転に同期して回転駆動させ、感光体２上のトナー画像の先端と用紙Ｐの搬送方向先端の所定位置とが一致するタイミングで用紙Ｐを搬送する。そして、搬送される用紙Ｐ上に、感光体２上のトナー画像が、転写手段８によって形成された転写電界により転写される。トナー画像が転写された用紙Ｐは、定着装置１４へと搬送され、定着装置１４によって用紙Ｐ上のトナー画像が定着される。その後、用紙Ｐは、排紙ローラ１５によって装置外へ排出される。
【００１５】
なお、用紙Ｐ上に転写されずに感光体２上に残った残留トナーは、感光体２の回転に伴ってクリーニングブレード９に至り、クリーニングブレード９によって掻き落とされ除去される。そして、感光体２の表面は、図示しない除電手段によって除電され、次の作像工程に備えられる。
【００１６】
図２は、本実施形態に係る定着装置の基本構成を示す断面図である。
図２に示すように、定着装置１４は、定着部材（又は定着回転体）としての定着ベルト２１と、定着ベルト２１に当接してニップ部Ｎを形成する対向部材（又は対向回転体）としての加圧ローラ２２と、定着ベルトを加熱する加熱手段としてのヒータ２３とを備える。
【００１７】
定着ベルト２１は、薄肉で可撓性を有する無端状のベルト部材（フィルムも含む）で構成されている。具体的に、定着ベルト２１は、外径４０ｍｍで厚み４０μｍのＳＵＳ製の基材２１ａと、この基材２１ａの外周面を被覆する厚み１００μｍのシリコーンゴム製の弾性層２１ｂと、この弾性層２１ｂの外周面を被覆する厚み５〜５０μｍのＰＦＡやＰＴＦＥ等のフッ素系樹脂製の離型層２１ｃとで構成されている。なお、定着ベルト２１の基材２１ａを、ポリイミド等の樹脂材料で構成してもよい。
【００１８】
加圧ローラ２２は、外径４０ｍｍで厚み２ｍｍの鉄製の芯金２２ａと、この芯金２２ａの外周面を被覆する弾性層２２ｂとで構成されている。加圧ローラ２２の弾性層２２ｂは、シリコーンゴムで構成されており、その厚みは５ｍｍである。また、離型性を高めるため、弾性層２２ｂの外周面に厚み４０μｍ程度のフッ素系樹脂から成る離型層を配設してもよい。
【００１９】
定着ベルト２１の内周側の加圧ローラ２２と対向する位置には、ニップ形成部材２４が配設されている。ニップ形成部材２４は、その両端部において、定着装置１４の図示しない側板に支持されている。このニップ形成部材２４に対し、加圧ローラ２２が加圧レバー等の加圧手段によって圧接せしめられることで、定着ベルト２１と加圧ローラ２２との圧接部において所定幅のニップ部Ｎが形成されている。なお、定着部材と対向部材とを加圧を行わず単に当接させるだけの構成としてもよい。
【００２０】
また、加圧ローラ２２は、図示しないモータ等の駆動源によって図の矢印Ｂ方向に回転駆動するように構成されている。そして、加圧ローラ２２が回転駆動すると、その駆動力がニップ部Ｎで定着ベルト２１に伝達され、定着ベルト２１が図の矢印Ｃ方向に従動回転するようになっている。また、定着ベルト２１の内周側には、定着ベルト２１を支持するベルト支持部材２９が配設されている。
【００２１】
ヒータ２３は、サーマルヒータやセラミックヒータ等の面状又は板状の発熱体で構成されている。定着ベルト２１の内周側には、支持部材としてのステー３１が配設されており、このステー３１によって、ヒータ２３が、ニップ部Ｎよりも用紙搬送方向Ａの上流側で、定着ベルト２１の内周面に対向するように支持されている。なお、ヒータ２３を、ニップ部Ｎの位置に配設し、ニップ形成部材２４としての機能を持たせてもよい。また、ヒータ２３には電源２５が接続されており、電源２５からヒータ２３に電力が供給されるようになっている。この電源２５の出力は、加熱制御手段２６によって制御される。加熱制御手段２６は、ＣＰＵ、ＲＯＭ、ＲＡＭ、Ｉ／Ｏインターフェース等を包含するマイクロコンピュータで構成されている。
【００２２】
また、定着装置１４は、ヒータ２３の温度を検知するヒータ温度検知手段としての第１のサーミスタ２７と、定着ベルト２１の温度を検知するベルト温度検知手段としての第２のサーミスタ２８とを備える。第１のサーミスタ２７は、ヒータ２３に直接接触するように配設され、第２のサーミスタ２８は、定着ベルト２１の外周面に対し、ヒータ２３よりもベルト回転方向Ｃの上流側で対向するように配設されている。各サーミスタ２７，２８で検知された温度情報は、加熱制御手段２６に入力されるようになっており、この入力情報に基づいて、加熱制御手段２６は電源２５の出力を制御するように構成されている。
【００２３】
また、ヒータ２３と対向する位置には、定着ベルト２１を外周側から押さえる押さえ部材としての押圧ローラ３０が配設されている。この押圧ローラ３０によって、定着ベルト２１が外周側から押さえられることで、定着ベルト２１がヒータ２３に接触するようになっている。押圧ローラ３０は、外径が１５ｍｍ乃至３０ｍｍであり、外径が８ｍｍの鉄製の芯金３０ａと、この芯金３０ａの外周面を被覆する厚み３．５ｍｍ乃至１１ｍｍのシリコーンゴム製の弾性層３０ｂとで構成されている。また、離型性を高めるために、弾性層３０ｂの外周面に厚み４０μｍ程度のフッ素系樹脂から成る離型層を配設してもよい。ここでは、押圧ローラ３０は、図示しない加圧手段によって定着ベルト２１に圧接されているが、加圧を行わず単に当接させるだけの構成としてもよい。
【００２４】
図２を参照しつつ定着装置の基本動作について説明する。
画像形成装置本体の電源スイッチが投入されると、電源２５からヒータ２３に電力が供給されると共に、加圧ローラ２２が図の矢印Ｂ方向に回転駆動を開始する。これにより、定着ベルト２１は、加圧ローラ２２との摩擦力によって、図の矢印Ｃ方向に従動回転する。
【００２５】
その後、上述の画像形成工程を経て未定着のトナー画像Ｇが担持された用紙Ｐが、定着ベルト２１と加圧ローラ２２との間のニップ部Ｎに搬送されると、用紙Ｐが加熱及び加圧され、用紙Ｐ上のトナー画像Ｇが定着される。そして、用紙Ｐはニップ部Ｎから搬出された後、機外に排出される。
【００２６】
以下、本実施形態に係る定着装置の構成について、さらに詳しく説明する。
図３に示すように、ヒータ２３は、用紙Ｐの幅方向に等間隔に配設された複数（図では７つ）の発熱体３２を有しており、各発熱体３２は、互いに独立して発熱可能に構成されている。また、各発熱体３２は、上記加熱制御手段２６によって、その発熱が制御されるように構成されている。
【００２７】
具体的に、加熱制御手段２６は、複数の発熱体３２のうち、発熱させる発熱体３２を選択することによる用紙幅方向における加熱範囲の変更と、発熱体３２のＯＮ／ＯＦＦのタイミングを制御することによる回転方向における加熱範囲の変更と、発熱体３２の発熱量を制御することによる加熱量（加熱温度）の変更とを、行えるようになっている。なお、発熱体３２の発熱量（出力）の制御は、発熱体３２への供給電力の増減、あるいは、点灯デューティー（所定時間中のＯＮ時間の比率）の変更などによって行われる。
【００２８】
例えば、図４（ａ）に示すように、用紙搬送方向Ａの先端側から順に、画像領域ａ、非画像領域ｂ、画像領域ｃが存在するように画像形成された用紙Ｐの場合、画像領域ａ，ｃでは定着が必要であるが、非画像領域ｃでは定着の必要はない。このような場合、加熱制御手段２６は、画像処理手段３３（図２参照）から得られた画像情報に基づき、非画像領域ｂに対応する定着ベルト２１の部位の温度を、画像領域ａ，ｃに対応する定着ベルト２１の部位の温度よりも低くなるようにヒータ２３を制御する。すなわち、この場合、画像領域ａ，ｃに対応する箇所では、全発熱体３２への電力供給を通常通り行うが、非画像領域ｂに対応する箇所では、全発熱体３２への電力供給を低減又は停止する。このように、非画像領域ｂに対応する箇所では、発熱体３２への供給電力を低減又は停止することで、非画像領域ｂへの無駄な熱エネルギー消費を削減することができる。
【００２９】
また、図４（ｂ）に示すように、用紙Ｐの幅方向に渡って、画像領域ｄと非画像領域ｅとが混在する場合は、複数の発熱体３２のうち、非画像領域ｅに対応する位置（図の右側）にある発熱体３２への電力供給を低減又は停止する。これにより、非画像領域ｅへの無駄な熱エネルギー消費を削減できる。
【００３０】
また、図４（ｃ）に示す例では、画像領域と非画像領域とが用紙Ｐの幅方向と搬送方向に渡って混在している。この場合は、図中の符号ｇの範囲と符号ｉの範囲とが重なり合った箇所に形成される非画像領域に対応して、発熱体３２への電力供給を低減又は停止することにより、上記と同様に、非画像領域への無駄な熱エネルギー消費を削減することができる。
【００３１】
図５は、図４（ａ）に示す用紙を通過させた場合のヒータの出力と定着ベルトの温度変化を示す図である。以下、図５を参照しつつ、定着ベルトの温度制御について説明する。
【００３２】
図５に示すように、用紙上の画像領域ａ，ｃがニップ部を通過するタイミングＴａ，Ｔｃでは、定着ベルトの温度が、定着に必要な所定の第１の目標温度Ｑ１となるように、発熱体への供給電力を制御する。一方、非画像領域ｂがニップ部を通過するタイミングＴｂでは、発熱体への電力供給を低減して、第１の目標温度Ｑ１よりも低い第２の目標温度Ｑ２となるように制御し、無駄な熱エネルギー消費を削減する。ここで、画像領域ａ，ｃがニップ部を通過しない時間Ｔｂ，Ｔ１，Ｔ２においては、発熱体への電力供給を完全に停止してもよいが、極端に温度が下がり過ぎると、次の、あるいは最初の画像領域に対応した温度の立ち上がりが間に合わないことがある。そのため、図５に示す例のように、発熱体の出力として、第１の目標温度Ｑ１用の出力Ｗ１よりも小さい出力Ｗ２を設定し、画像領域の非通過時Ｔｂ，Ｔ１，Ｔ２においては、小さい出力Ｗ２で加熱することにより、第１の目標温度Ｑ１よりも低いが室温よりは高い第２の目標温度Ｑ２に保つように制御することが望ましい。
【００３３】
また、一般的に、定着ベルトの加熱を開始してから、定着ベルトの温度が目標温度に達するまでには、一定の昇温時間を要する。従って、第１の目標温度Ｑ１用の出力Ｗ１での立ち上げを、画像領域ａの先端がニップ部に達した時点で開始した場合、第１の目標温度Ｑ１への昇温が間に合わない。そこで、図５に示す例のように、定着ベルトの昇温時間を考慮して、各画像領域ａ，ｃの先端がニップ部へ到達するよりも前のタイミングから、所定時間Ｔｘの間、出力Ｗ１による予熱を行うことが望ましい。ただし、省エネの観点から、予熱時間Ｔｘはできるだけ短い方が望ましい。また、定着ベルトの昇温時間は、定着ベルト自体の熱伝達率や回転方向の発熱長さなどによって異なるため、予め実験などにより特定しておくとよい。
【００３４】
なお、図５に示す例では、各画像領域ａ，ｃの定着温度を、同じ第１の目標温度Ｑ１に設定しているが、画像領域に応じて目標温度を異ならせてもよい。
【００３５】
例えば、各画像領域の画像の種類が、文字、写真、図などで異なる場合に、画像の種類に応じて各画像領域に対応する目標温度を異ならせてもよい。特に、画像が写真の場合は、画像の光沢度を上げる必要がある場合があるので、写真の画像領域に対しては目標温度を高く設定することで、所望の光沢度が得られる。
【００３６】
また、各画像領域の画像パターンが、ベタ画像、ハーフトーン画像、線画像、文字画像などで異なる場合や、画像パターンの処理方法が、ディザ法や誤差拡散法などで異なる場合、画像パターンや処理方法に応じて各画像領域に対応する目標温度を異ならせてもよい。各種画像パターンによってトナー粒子同士の孤立度合い又は密集度合いが異なっており、孤立している場合の方が密集している場合よりもトナーが剥がれやすいことが知られている。そのため、トナーが孤立している画像パターンに対しては、目標温度を上げて剥がれにくくし、反対に、トナーが密集している画像パターンに対しては、目標温度を下げることで消費エネルギーを削減することが可能である。
【００３７】
また、各画像領域のトナー付着量が異なる場合、それぞれ、定着に必要な温度が異なるため、画像情報に基づきトナーの付着量を把握しておき、これに応じて画像領域ごとに目標温度を異ならせてもよい。通常、トナーの付着量が多い画像では、トナーの溶融に多くの熱量が必要になるため、目標温度を上げる必要がある。反対に、トナーの付着量が少ない画像では、目標温度を下げて消費エネルギーの削減を図ることができる。
【００３８】
また、複数の色のトナーを用いるカラー画像形成装置においては、トナーの色によって定着に必要な熱量が異なる場合があるため、その場合、トナーの色に応じて目標温度を異ならせてもよい。例えば、ブラックのトナーは、イエロー、シアン、マゼンタ等の他の色のトナーに比べて、定着に必要な熱量が少なくてよい場合が多いため、ブラックのトナーのみ使用される画像領域では、目標温度を下げることで消費エネルギーの削減を図れる。
【００３９】
ところで、本実施形態の画像形成装置において、図６（ａ）に示すように、定着ベルト２１上の一部分Ｄを、用紙上の画像Ｇに対応させて加熱した場合、同図（ｂ）に示すように、その部分Ｄに熱が蓄えられ、温度が上昇する。そして、図７（ａ）に示すように、画像Ｇがニップ部Ｎを通過し、定着処理が行われると、同図（ｂ）に示すように、部分Ｄの温度が低下するが、部分Ｄに蓄えられた熱は定着処理によって全て使用されるわけではないので、定着処理後も定着ベルト２１に残る。従って、一度加熱された部分Ｄは、しばらくの間、他の部分よりも蓄熱された状態で維持される。
【００４０】
しかし、定着ベルト２１上に蓄えられた熱は、その後、定着処理に使用しなければ、放熱されるだけであるため、熱エネルギーの無駄になる。そこで、本発明では、この蓄えられた熱を有効活用するため、その後の定着処理において利用するようにしている。以下、本発明の特徴部分について説明する。
【００４１】
図８は、本発明の第１実施形態の構成を示す図である。
図８に示すように、第１実施形態では、図２に示す構成の定着装置１４において、複数の発熱体３２ごとの発熱履歴を記憶する記憶手段３４と、記憶手段３４によって記憶された発熱履歴に基づき画像処理手段３３を制御する制御手段３５とを備える。
【００４２】
上記のように、定着ベルト２１上には、定着処理に伴って、蓄熱の有無や蓄熱度合いの違いなどから蓄熱パターン（蓄熱された部分）が形成されるが、蓄熱パターンは、種々の画像パターンの定着処理が行われるに伴って複雑に変化する。また、定着ベルト２１上の蓄熱パターンは、各発熱体３２の発熱履歴、すなわち、各発熱体３２の発熱の有無、発熱開始及び停止のタイミング、発熱時間、発熱量（出力）などに基づいて変化する。このことに着目し、本実施形態では、複数の発熱体３２ごとの熱履歴を記憶手段３４によって記憶し、この記憶した発熱履歴に基づき、制御手段３５が定着ベルト２１上の蓄熱パターンを把握するようにしている。そして、本実施形態では、制御手段３５によって画像処理手段３３を制御し、定着ベルト２１上の蓄熱パターンに対応した位置に、用紙上の画像領域を配置するようにしている。制御手段３５は、例えば、画像形成装置に搭載されたマイクロコンピュータ、あるいは、ユーザー等のパソコンのドライバソフトウェアなどである。
【００４３】
具体的には、図９（ａ）に示すように、定着処理を行う１枚目の用紙Ｐ１と２枚目の用紙Ｐ２上に形成される予定の画像Ｇ１，Ｇ２が、用紙Ｐ１，Ｐ２に対して互いに異なる位置にある場合、本実施形態では、同図（ｂ）に示すように、２枚目の用紙Ｐ２上に形成される画像Ｇ２を、用紙の中央を通って用紙に垂直な軸回りに１８０°反転させた位置に移動させる。このように、２枚目の用紙Ｐ２において、画像Ｇ２を１８０°反転させた位置に形成することで、当該画像Ｇ２を、２枚目の用紙Ｐ２上の蓄熱パターンに対応する箇所Ｆに合わせるように配置する。なお、この蓄熱パターンに対応する箇所Ｆとは、１枚目の用紙Ｐ１の画像Ｇ１の定着のために、加熱された定着ベルト２１上の部分が、２枚目の用紙Ｐ２上に接触する箇所のことである。これにより、１枚目の用紙Ｐ１の定着によって蓄えられた熱を、２枚目の用紙Ｐ２の定着処理に利用することができる。
【００４４】
また、２枚目の用紙Ｐ２上の画像Ｇ２の位置は変更せずに、１枚目の用紙Ｐ１上の画像Ｇ１を、用紙中央軸回りに１８０°反転させた位置に形成することによっても、同様に、定着ベルト２１上の蓄熱を２枚目の用紙Ｐ２の定着処理に利用することが可能である。
【００４５】
図１０に、本発明の第２実施形態の構成を示す。
図１０に示すように、第２実施形態では、上記図８に示す第１実施形態の構成に加え、さらに、制御手段３５によって記録媒体供給手段３６も制御するように構成されている。すなわち、制御手段３５は、各発熱体３２の発熱履歴に基づき、記録媒体供給手段３６と画像処理手段３３との両方を制御する。
【００４６】
記録媒体供給手段３６は、用紙の縦と横の向きを変更して用紙を供給可能な手段である。例えば、記録媒体供給手段３６には、用紙を収容する記録媒体収容器としての給紙カセット、給紙ローラ、レジストローラ、その他の搬送ローラ、搬送ガイド等の定着装置へ用紙を供給するための種々の手段が含まれる。本実施形態では、用紙を縦向きに収容する第１の給紙カセットと、用紙を横向きに収容する第２の給紙カセットが設けられており、用紙を送り出す給紙カセットを変更することで容易に向きを変えて給紙することが可能となっている。なお、連続印刷時に、途中で給紙カセット内の用紙が無くなった場合、別の給紙カセットに切り換えて給紙する制御があるが、本発明はこれとは異なる。すなわち、本発明は、用紙の向きの変更を、発熱体３２の発熱履歴に基づいて行うので、給紙カセット内の用紙が無くなったタイミングとは異なるタイミングで実行可能である。
【００４７】
具体的に、第２実施形態では、図１１（ａ）に示すように、１枚目の用紙Ｐ１と２枚目の用紙Ｐ２上に形成される予定の画像Ｇ１，Ｇ２が、用紙Ｐ１，Ｐ２に対して互いに異なる位置にある場合、本実施形態では、同図（ｂ）に示すように、２枚目の用紙Ｐ２上に形成される画像Ｇ２を、用紙中央軸回りに９０°回転させた位置に形成する。また、この画像形成位置の変更に合わせて、２枚目の用紙Ｐ２を同様に軸回りに９０°回転させ、縦と横の向きを変更する。このように、２枚目の用紙Ｐ２の向きと画像Ｇ２の位置とを変更することで、画像Ｇ２を、２枚目の用紙Ｐ２上の蓄熱パターンに対応する箇所Ｆに配置することができる。これにより、１枚目の用紙Ｐ１の定着によって蓄えられた熱を、２枚目の用紙Ｐ２の定着処理に利用することが可能となる。
【００４８】
また、２枚目の用紙Ｐ２の向きと画像Ｇ２の位置は変更せずに、１枚目の用紙Ｐ１の向きと画像Ｇ１を、それぞれ、用紙中央軸回りに９０°回転させることによっても、同様に、定着ベルト２１上の蓄熱を２枚目の用紙Ｐ２の定着処理に利用することが可能である。
【００４９】
以下、本発明の第３実施形態について説明する。
第３実施形態では、図１０に示す第２実施形態と同様に、複数の発熱体３２ごとの発熱履歴を記憶する記憶手段３４と、記憶手段３４によって記憶された発熱履歴に基づき画像処理手段３３と記録媒体供給手段３６との両方を制御する制御手段３５とを備える。ただし、ここでの記録媒体供給手段３６は、定着装置へ用紙を供給するタイミングを変更可能なレジストローラなどの手段である。
【００５０】
第３実施形態では、図１２（ａ）に示すように、１枚目の用紙Ｐ１と２枚目の用紙Ｐ２上に形成される予定の画像Ｇ１，Ｇ２が用紙幅方向で同じ位置にあるが、２枚目の用紙Ｐ２上の画像Ｇ２が蓄熱パターンに対応する箇所Ｆからずれる場合に、用紙供給タイミングと画像形成タイミングとを変更する。具体的に、この場合、図１２（ｂ）に示すように、１枚目の用紙Ｐ１と２枚目の用紙Ｐ２の紙間Ｗを広げるように、２枚目の用紙Ｐ２を供給する。また、これに伴い、画像処理手段３３によって、２枚目の用紙Ｐ２に転写される画像Ｇ２の形成タイミングも調整する。これにより、画像Ｇ２を、２枚目の用紙Ｐ２上の蓄熱パターンに対応する箇所Ｆに配置することができ、１枚目の用紙Ｐ１の定着によって蓄えられた熱を、２枚目の用紙Ｐ２の定着処理に利用することが可能となる。
【００５１】
続いて、本発明の第４実施形態について説明する。
第４実施形態では、図８に示す第１実施形態と同様に、複数の発熱体３２ごとの発熱履歴を記憶する記憶手段３４と、記憶手段３４によって記憶された発熱履歴に基づき画像処理手段３３を制御する制御手段３５とを備える。ただし、第３実施形態では、画像処理手段３３による画像形成位置の変更の仕方が異なる。
【００５２】
具体的に、第４実施形態では、図１３（ａ）及び（ｂ）に示すように、１枚目の用紙Ｐ１上の画像Ｐ１を用紙の幅方向に移動させ、２枚目の用紙Ｐ２上の画像Ｐ２を用紙の幅方向と搬送方向とに移動させることで、２枚目の用紙Ｐ２に形成される画像Ｇ２を、蓄熱パターンに対応する箇所Ｆに配置する。これにより、上記と同様に、１枚目の用紙Ｐ１の定着によって蓄えられた熱を、２枚目の用紙Ｐ２の定着処理に利用することが可能となる。
【００５３】
ただし、この場合は、用紙に対する画像の位置が変更されるため、変更後の画像を画像形成装置の操作パネル上、又は画像形成装置に接続されたパソコンの画面上に表示することで、ユーザー等の確認を得てから印刷を開始するようにすることが望ましい。また、画像の移動に合わせて、用紙の給紙位置を画像の移動方向と同方向に同じ量だけ移動させることで、用紙に対して画像がずれるのを回避することも可能である。
【００５４】
また、図１３に示す例では、１枚目の用紙Ｐ１上の画像Ｐ１と２枚目の用紙Ｐ２上の画像Ｐ２との両方を移動させているが、一方の画像のみを移動させてもよい。また、両画像のずれ方によっては、一方又は両方の画像を、用紙の幅方向のみ又は搬送方向のみに移動させて対応してもよい。
【００５５】
以上のように、上記本発明の各実施形態によれば、先の用紙の定着によって蓄えられた熱を、後の用紙の定着処理に有効活用することができる。これにより、後の用紙の定着処理のために新たに与える熱量を低減することができるので、消費エネルギーを削減することが可能となる。上記本発明の実施形態の説明では、定着ベルト上の蓄熱パターンに対応した位置に用紙上の画像領域を配置する方法として、４つの方法（実施形態）を挙げたが、これらの４つの方法の中からいずれか１つを適宜選択して使い分けるようにしてもよい。
【００５６】
なお、本発明は上記実施形態に限定されるものではなく、本発明の要旨を逸脱しない範囲で種々の変更を加え得ることは勿論である。例えば、後の用紙に形成される画像の一部の配置のみを変更して、蓄熱パターンに対応する箇所に画像を配置するようにしてもよい。また、１枚の用紙がニップ部を通過する際に、定着ベルトが２回以上転する構成の場合、１回転目の定着による蓄熱を２回転目以降の定着に利用するために、２回転目以降に相当する部分の画像の配置を変更することも可能である。
【００５７】
また、上記実施形態では、発熱体ごとの発熱履歴に基づいて、蓄熱パターンを把握するようにしているが、各発熱体の発熱履歴は形成される画像に応じて異なるため、形成される画像情報に基づいて蓄熱パターンを把握することも可能である。あるいは、定着ベルトの表面温度を検知して、定着ベルト上の蓄熱パターンを把握するようにしてもよい。
【００５８】
また、上記実施形態では、定着回転体として定着ベルト２１を用い、加熱手段として定着ベルト２１の内周側から加熱するヒータ２３を用いた場合を例に説明したが、本発明を適用可能な定着装置はこれに限らない。
【００５９】
例えば、本発明は、図１４に示すように、定着回転体として定着ローラ６０を用い、加熱手段として定着ローラ６０の外周側から加熱するヒータ２３を用いた構成にも適用可能である。この実施形態における定着ローラ６０は、外径４０ｍｍで厚み１ｍｍのアルミニウム製の芯金６０ａと、この芯金６０ａの外周面を被覆する断熱層６０ｂと、この断熱層６０ｂの外周面を被覆する熱伝導層６０ｃと、この熱伝導層６０ｃの外周面を被覆する離型層６０ｄとで構成されている。
【００６０】
断熱層６０ｂは、シリコーンゴムで形成されており、厚みは３ｍｍである。また、断熱層６０ｂの断熱機能をより高めるために、熱の逃げが少ない発泡シリコーンゴムで断熱層６０ｂを形成してもよい。
【００６１】
熱伝導層６０ｃは、ニッケルで形成されている。ただし、熱伝導層６０ｃの材料は、ニッケルに限らず、ステンレスなどの鉄系合金、アルミニウムや銅などの金属系、グラファイトシートなど、熱伝導性が少なくとも断熱層６０ｂよりも高い材料であればよい。このような熱伝導性の良い熱伝導層６０ｃを設けることで、ヒータ２３の発熱ムラによる定着ローラ６０の表面温度の局部的な温度のばらつきを低減することができる。また、熱伝導層６０ｃによって、ヒータ２３を配設した領域よりもやや広い領域において温度上昇させることができるため、画像とのずれを補填することができるという利点もある。すなわち、熱伝導層６０ｃを設けることにより、ヒータ２３を構成する複数の発熱体の大きさや間隔等の設定の自由度を向上させることができる。
【００６２】
離型層６０ｃは、ＰＴＦやＰＴＦＥ等のフッ素系樹脂で形成されており、厚みが５〜３０μｍである。
【００６３】
さらに、図１４に示す定着装置１４は、ヒータ２３に電力を供給する電源２５、画像処理手段３３から得られた情報に基づきヒータ２３を制御する加熱制御手段２６、ヒータ２３の温度を検知する第１のサーミスタ２７、定着ローラ６０の温度を検知する第２のサーミスタ２８等を備えているが、これらの構成は、基本的に上記実施形態と同様であるので説明を省略する。
【００６４】
また、図１４に示す構成では、ヒータ２３を定着ローラ６０の表面に接触させる構成としているが、コイルとインバータを用いたＩＨ方式による非接触式の加熱手段を用いてもよい。ＩＨ方式とした場合、加熱用のコイルを定着ローラ６０の軸方向に渡って複数配設したり、あるいは、磁束をキャンセルする部材を定着ローラ６０の軸方向に渡って複数配設したりすることで、加熱領域や加熱量を制御できるようすることが可能である。
【００６５】
また、本発明を適用可能な画像形成装置は、図１に示すようなモノクロ画像形成装置に限らない。
【００６６】
本発明は、例えば、図１５に示すようなカラー画像形成装置に搭載される定着装置にも適用可能である。
図１５に示すカラー画像形成装置は、装置本体１に対して着脱可能な４つのプロセスユニット２０Ｙ，２０Ｍ，２０Ｃ，２０Ｋを備えている。各プロセスユニット２０Ｙ，２０Ｍ，２０Ｃ，２０Ｋは、カラー画像の色分解成分に対応するイエロー（Ｙ）、マゼンタ（Ｍ）、シアン（Ｃ）、ブラック（Ｋ）の異なる色の現像剤を収容している以外は同様の構成となっている。具体的に、各プロセスユニット２０Ｙ，２０Ｍ，２０Ｃ，２０Ｋは、感光体２と、感光体２の表面を帯電させる帯電ローラ３と、現像ローラ６を備える現像手段７と、感光体２の表面をクリーニングするクリーニング手段１０などを備える。
【００６７】
各プロセスユニット２０Ｙ，２０Ｍ，２０Ｃ，２０Ｋの上方には、転写手段８として、中間転写ベルト１６と、複数の一次転写ローラ１７と、二次転写ローラ１８とが設けられている。また、各プロセスユニット２０Ｙ，２０Ｍ，２０Ｃ，２０Ｋの下方には、露光装置１９が設けられている。
【００６８】
以下、図１５に示すカラー画像形成装置の基本的な作像動作について説明する。
作像動作が開始されると、各プロセスユニット２０Ｙ，２０Ｍ，２０Ｃ，２０Ｋにおける各感光体２が回転駆動され、各感光体２の表面が帯電ローラ３によって所定の極性に一様に帯電される。帯電された各感光体２の表面には、露光装置１９からレーザー光がそれぞれ照射されて静電潜像が形成される。このとき、各感光体２に露光する画像情報は所望のフルカラー画像をイエロー、マゼンタ、シアン及びブラックの色情報に分解した単色の画像情報である。このように各感光体２上に形成された静電潜像に、各現像手段７によってトナーが供給されることにより、静電潜像はトナー画像として顕像化（可視像化）される。
【００６９】
また、作像動作が開始されると、中間転写ベルト１６が図の矢印で示す方向に回転駆動され、各一次転写ローラ１７に所定の電圧が印加されることによって、各一次転写ローラ１７と各感光体２との間の一次転写ニップにおいて転写電界が形成される。その後、各感光体２の回転に伴い、感光体２上の各色のトナー画像が一次転写ニップに達したときに、上記一次転写ニップにおいて形成された転写電界によって、各感光体２上のトナー画像が中間転写ベルト１６上に順次重ね合わせて転写される。かくして、中間転写ベルト１６の表面にフルカラーのトナー画像が担持される。また、各感光体２上の残留トナーは、クリーニング手段１０によって除去される。そして、各感光体２の表面が図示しない除電装置によって除電され、表面電位が初期化される。
【００７０】
また、装置本体１の下部では、給紙ローラ１２が回転駆動を開始し、給紙トレイ１１から用紙Ｐが搬送路Ｒに送り出される。搬送路Ｒに送り出された用紙Ｐは、レジストローラ１３によって搬送が一旦停止された後、所定のタイミングで二次転写ニップへ搬送される。このとき、二次転写ローラ１８には所定の電圧が印加されており、これにより、二次転写ニップに転写電界が形成されている。そして、この転写電界によって、中間転写ベルト１６上のトナー画像が用紙Ｐ上に一括して転写される。その後、用紙Ｐは定着装置１４へと搬送され、定着装置１４によって用紙Ｐ上のトナー画像が当該用紙Ｐに定着された後、排紙ローラ１５によって用紙Ｐが装置外へ排出される。
【００７１】
以上の説明は、用紙上にフルカラー画像を形成するときの画像形成動作であるが、４つのプロセスユニット２０Ｙ，２０Ｍ，２０Ｃ，２０Ｋのいずれか１つを使用して単色画像を形成したり、２つ又は３つの作像部を使用して、２色又は３色の画像を形成したりすることも可能である。
【００７２】
また、本発明を適用可能な画像形成装置は、上記のものに限らず、その他のプリンタ、複写機、ファクシミリ、あるいはこれらの複合機等であってもよい。
【符号の説明】
【００７３】
１４    定着装置
２１    定着ベルト（定着部材）
２２    加圧ローラ（対向部材）
２３    ヒータ（加熱手段）
３２    発熱体
６０    定着ローラ（定着部材）
Ｎ      ニップ部
Ｐ      用紙（記録媒体）
【先行技術文献】
【特許文献】
【００７４】
【特許文献１】特開平６−９５５４０号公報
【特許文献２】特開２００１−３４３８６０号公報
【特許文献３】特開２００５−１８１９４６号公報
【図１】
2014153505.tif 000003
【図２】
2014153505.tif 000004
【図３】
2014153505.tif 000005
【図４】
2014153505.tif 000006
【図５】
2014153505.tif 000007
【図６】
2014153505.tif 000008
【図７】
2014153505.tif 000009
【図８】
2014153505.tif 000010
【図９】
2014153505.tif 000011
【図１０】
2014153505.tif 000012
【図１１】
2014153505.tif 000013
【図１２】
2014153505.tif 000014
【図１３】
2014153505.tif 000015
【図１４】
2014153505.tif 000016
【図１５】
2014153505.tif 000017